(57)【特許請求の範囲】
【請求項１】
幅方向に沿う横方向に間隔をあけて立設される複数の支柱と、
隣り合う前記支柱に両端部を固着し、上下方向に所定の間隔をあけて配設される複数の横材と、
上下方向に隣り合う前記横材に上端と下端をそれぞれ固着し、隣り合う前記支柱の間に幅方向の横方向に所定の間隔をあけて配設される縦材と、
格子状に配設された前記横材と前記縦材で形成された複数のマス目領域にそれぞれ配設されるブロック材とを備えてなる乾式の壁構造体であって、
付帯物を取り付ける部分の縦材及び／又は横材として、壁面から奥行方向外側に突出し前記付帯物を固着する固定部を備える付帯物取付用縦材及び／又は付帯物取付用横材が設けられていることを特徴とする壁構造体。
【請求項２】
請求項１記載の壁構造体において、
前記付帯物取付用縦材は横材にビス留めして一体に設けられる壁構造体。
【請求項３】
請求項１または請求項２に記載の壁構造体において、
前記付帯物取付用縦材は、前記付帯物を取り付ける前記奥行方向一側部側が壁面から前記奥行方向外側に突出する固定部を備え、
前記固定部は先端に前記幅方向に延びる面を備えて形成されている壁構造体。
【発明の詳細な説明】
【技術分野】
【０００１】
本発明は、門袖、塀や垣根等の外構の壁構造体に関する。
【背景技術】
【０００２】
従来、門袖、塀や垣根等の外構の壁構造体には、複数のブロック材をモルタルなどで接合させつつ積み重ねて構築したものがある。しかしながら、この種の湿式の壁構造体は、モルタルを塗布しながらブロック材を積み重ねる作業などによって、また、モルタルが硬化するまでに時間を要することによって、工期が長期化するという欠点がある。
【０００３】
これに対し、所定間隔をあけて立設される複数の支柱と、隣り合う支柱に架設される上枠材及び下枠材と、支柱、上枠材、下枠材で囲まれた領域に設けられるとともに上下左右に並設される複数のブロック材とを備えて構成した壁構造体が提案、実用化されている（例えば、特許文献１参照）。
【０００４】
この壁構造体においては、モルタルなどの湿式工法によって固定することなく、乾式工法で壁構造体の強度を確保でき、大幅に施工性を高め、工期短縮を図ることが可能になる。
【先行技術文献】
【特許文献】
【０００５】
【特許文献１】特開２００９−１７９９９３号公報
【発明の概要】
【発明が解決しようとする課題】
【０００６】
しかしながら、本願の発明者らによる上記の乾式の壁構造体を門袖などに用いた場合に、ポストやサイン（表札）などの付帯物（機能物）を固定して取り付ける部位がなく、この点で改善の余地が残されていた。
【０００７】
本発明は、上記事情に鑑み、ポストやサインなどの付帯物を好適に取り付けることを可能にした壁構造体を提供することを目的とする。
【課題を解決するための手段】
【０００８】
上記の目的を達するために、この発明は以下の手段を提供している。
【０００９】
本発明の壁構造体は、幅方向に沿う横方向に間隔をあけて立設される複数の支柱と、隣り合う前記支柱に両端部を固着し、上下方向に所定の間隔をあけて配設される複数の横材と、上下方向に隣り合う前記横材に上端と下端をそれぞれ固着し、隣り合う前記支柱の間に幅方向の横方向に所定の間隔をあけて配設される縦材と、格子状に配設された前記横材と前記縦材で形成された複数のマス目領域にそれぞれ配設されるブロック材とを備えてなる乾式の壁構造体であって、付帯物を取り付ける部分の縦材及び／又は横材として、壁面から奥行方向外側に突出し前記付帯物を固着する固定部を備える付帯物取付用縦材及び／又は付帯物取付用横材が設けられていることを特徴とする。
【００１０】
また、本発明の壁構造体において、前記付帯物取付用縦材は横材にビス留めして一体に設けられることが望ましい。
【００１１】
さらに、本発明の壁構造体において、前記付帯物取付用縦材は、前記付帯物を取り付ける前記奥行方向一側部側が壁面から前記奥行方向外側に突出する固定部を備え、前記固定部は先端に前記幅方向に延びる面を備えて形成されていることがより望ましい。
【発明の効果】
【００１２】
本発明の壁構造体においては、ポストやサインなどの付帯物を取り付ける部分の縦材及び／横材として、壁面から奥行方向外側に突出するとともに、壁面に沿って突出する固定部を備えた付帯物取付用縦材及び／又は付帯物取付用横材を設けるようにしたことによって、この付帯物取付用縦材及び／又は付帯物取付用横材の固定部に付帯物を固着することで、容易に付帯物を壁構造体に取り付けることが可能になる。
【００１３】
また、他の部分の縦材及び／横材に替えて付帯物取付用縦材及び／付帯物取付用横材を設置するだけで付帯物の取り付けが可能になるため、付帯物取付用縦材及び／又は付帯物取付用横材を設置する位置を自在に変え、付帯物の取付位置を任意に且つ容易に調節、設定することができる。
【００１４】
さらに、付帯物取付用縦材及び／付帯物取付用横材を設けるようにしても、壁構造体の背面側は他の縦材を用いた場合とその見た目を同じにすることができる。すなわち、壁構造体の付帯物を設置する側の壁面と反対側の背面の意匠をそのまま好適な状態で維持して付帯物を取り付けできるように構成することが可能になる。
【図面の簡単な説明】
【００１５】
【図１】本発明の一実施形態に係る壁構造体を示す正面図であり、サイン（表札）を取り付けた状態の壁構造体を示す図である。
【図２】本発明の一実施形態に係る壁構造体を示す正面図であり、ポストを取り付けた状態の壁構造体を示す図である。
【図３】本発明の一実施形態に係る壁構造体の一部を示す分解斜視図である。
【図４】本発明の一実施形態に係る壁構造体を示す横断面図である。
【図５】本発明の一実施形態に係る壁構造体の縦材を示す斜視図である。
【図６】本発明の一実施形態に係る壁構造体の横材を示す縦断面図である。
【図７】本発明の一実施形態に係る壁構造体の付帯物取付用縦材を示す斜視図である。
【図８】本発明の一実施形態に係る壁構造体の付帯物取付部分の横断面図である。
【図９】本発明の一実施形態に係る壁構造体の付帯物取付部分にサインを取り付ける状況を示す斜視図である。
【図１０】本発明の一実施形態に係る壁構造体の付帯物取付部分にポストを取り付ける状況を示す斜視図である。
【発明を実施するための形態】
【００１６】
以下、図１から図１０を参照し、本発明の一実施形態に係る壁構造体について説明する。
ここで、本実施形態は、門袖、塀や垣根等の外構の壁構造体であり、特に乾式工法で構築される壁構造体に関するものである。
【００１７】
本実施形態の壁構造体Ａは、図１から図４に示すように、地中に埋設された基礎に下端側を支持させ、幅方向Ｔ１（横方向）に所定の間隔をあけて立設された複数の支柱１と、隣り合う支柱１の上端側同士、下端側同士の間に架設された上枠材２及び下枠材３と、隣り合う支柱１に両端部を接続し、上枠材２及び下枠材３の間に上下方向Ｔ２に所定の間隔をあけて設けられた横材４と、上下方向Ｔ２に隣り合う上枠材２と横材４、横材４同士、横材４と下枠材３に上端、下端をそれぞれ接続し、幅方向Ｔ１に所定の間隔をあけて設けられた縦材５と、格子状に配設された上枠材２、横材４、縦材５、下枠材３に支持させ、格子状の各部材で囲まれたマス目領域に配設されるブロック材６と、上枠材２の上に固設される笠木ベース７、笠木８とを備えて構成されている。
なお、本発明においては、上枠材２及び下枠材３も横材として扱う。
【００１８】
本実施形態のブロック材６は、方形ブロック状に形成されており、上下方向Ｔ２に積み重ね、幅方向Ｔ１に並べて壁体を形成するものである。また、本実施形態では、壁面となる一面から他面に貫通する貫通孔を備えた有孔ブロックがブロック材として用いられている。さらに、このブロック材６は、上面、下面、両側面の奥行方向Ｔ３（厚さ方向）略中央に、内側に凹み周方向に繋がる係合凹部６ａが形成されている。
なお、本発明にかかるブロック材は勿論、有孔ブロックでなくてもよい。
【００１９】
支柱１は、例えばアルミニウム製の押出形材を用いて形成されている。また、本実施形態では、支柱１として両側端部に設けられる２本の端部支柱を備えて壁構造体Ａが構成されているものとしているが、角部（コーナー部）に設けられる支柱、幅方向Ｔ１に隣り合う一対の端部の支柱の間に立設される中間支柱を備えて壁構造体Ａが構成されていてもよい。
【００２０】
また、本実施形態の支柱１は、本体部１ａと、隣り合う支柱１に対向する本体部１ａの一側面の奥行方向Ｔ３略中央に一体形成され、隣り合う支柱１側に突出し、下端側から上端側まで延設された係合凸部１ｂとを備えて形成されている。
【００２１】
係合凸部１ｂは、所定の間隔をあけて突出し、上下方向Ｔ２に延びる２条の凸条で形成されている。さらに、これら２条の凸条の内面同士の間の間隔が後述の横材４の係合凸部４ａの幅寸法と略同等、外面同士の間隔がブロック材６の係合凹部６ａの幅寸法と略同等になるように形成されている。
【００２２】
上枠材２は、下面側に下方に突出し一端から他端まで延びる係合凸部２ａを備えて形成されている。また、本実施形態の上枠材２には、下面側の所定位置に、詳細を後述する縦材５を接続するための接続孔（接合凹部）が凹設されている。そして、上枠材２は、縦材５の接続ピン５ａを接続孔に嵌合させ、縦材５で支持されて支柱１に架け渡すように配設される。また、このとき、上枠材２は、各支柱１の２条の凸条の間に係合凸部１ｂを係合させて設置される。
【００２３】
下枠材３は、図５に示すように、上面側の幅方向Ｔ１中央に上方に突出し一端から他端まで延びる係合凸部３ａを備えて形成されている。また、本実施形態の下枠材３には、上面側の所定位置に、縦材５を接続するための接続孔（接合凹部）３ｂが凹設されている。そして、下枠材３は、一端を支柱１の一方に、他端を他方の支柱１にそれぞれビス留めして配設される。このとき、下枠材３は、各支柱１の２条の凸条の間に係合凸部３ａを係合させて固設される。
【００２４】
横材４は、図３、図６に示すように、上面側と下面側の幅方向Ｔ１中央にそれぞれ、上下方向Ｔ２に突出し一端から他端まで延びる係合凸部４ａを備えて形成されている。そして、横材４は、一端を隣り合う一方の支柱１に、他端を他方の支柱１にそれぞれビスで留めて配設される。また、このとき、横材４は、各支柱１の２条の凸条の間に係合凸部４ａを係合させて固設される。
【００２５】
さらに、本実施形態の横材４には、上面側と下面側のそれぞれの所定位置に、縦材５を接続するための接続孔（接合凹部）４ｂが凹設されている（図５参照）。
【００２６】
縦材５は、図３から図５に示すように、略平板状の縦材本体部５ｂと、縦材本体部５ｂの両側面側の奥行方向Ｔ３略中央にそれぞれ、隣り合う支柱１側または隣り合う縦材５側に突出し、下端側から上端側まで延設された係合凸部５ｃを一体に備えて形成されている。また、この係合凸部５ｃは、所定の間隔をあけて突出し、上下方向Ｔ２に延びる２条の凸条で形成されている。さらに、これら２条の凸条の内面同士の間の間隔が横材４の係合凸部４ａの幅寸法と略同等、外面同士の間隔がブロック材６の係合凹部６ａの幅寸法と略同等になるように形成されている。
【００２７】
また、本実施形態の縦材５は、上端側と下端側にそれぞれ、接続ピン（接合凸部）５ａが上下方向Ｔ２に突出して設けられている。
【００２８】
そして、上記構成からなる本実施形態の壁構造体Ａは、次のように構築される。
【００２９】
まず、支柱１を立設するとともに両端を支柱１に接続し、下枠材３を設置する。このとき、下枠材３の端部の係合凸部３ａを支柱１の２条の凸条の間に係合させ、必要に応じてビス留めするなどして下枠材３の端部を支柱１に接続する。
【００３０】
次に、下枠材３の接続孔３ｂに接続ピン５ａを嵌合させて複数の縦材５を幅方向Ｔ１に所定の間隔をあけて設置する。
【００３１】
次に、支柱１と下枠材３と縦材５で囲まれた複数のマス目領域にそれぞれ、ブロック材６を設置してゆく。このとき、ブロック材６の両側面と下面に形成された係合凹部６ａを支柱１と縦材５、下枠材３に形成された係合凸部１ｂ、５ｃ、３ａにそれぞれ係合させてブロック材６を設置する。これにより、複数のブロック材６がそれぞれ位置決めされ、幅方向Ｔ１に並べて設置される。
【００３２】
次に、隣り合う支柱１の間の複数のブロック材６の上に横材４を設置する。そして、横材４の両端部を支柱１にビス留めして固定する。
【００３３】
次に、横材４の接続孔４ｂに接続ピン５ａを嵌合させて２段目の複数の縦材５を幅方向Ｔ１に所定の間隔をあけて設置する。
【００３４】
次に、支柱１と横材４と縦材５で囲まれた２段目の複数の領域にそれぞれ、ブロック材６を設置してゆく。このとき、ブロック材６の両側面と下面に形成された係合凹部６ａを支柱１と縦材５、横材４に形成された係合凸部１ｂ、５ｃ、４ａにそれぞれ係合させてブロック材６を設置する。これにより、２段目の複数のブロック材６がそれぞれ位置決めされ、幅方向Ｔ１に並べて設置される。
【００３５】
上記の操作を繰り返し行い、順次上段のブロック材６を積み上げて設置する。
【００３６】
また、最上段の施工を行う際には、ブロック材６を設定し、各ブロック材６の上に、ブロック材６の上面の係合凹部６ａに上枠材２の下面側の係合凸部２ａを係合させ、また、上枠材２の両端部側の係合凸部２ａを支柱１の２条の凸条の間に係合させ、さらに、上枠材２の下面側の接続孔に縦材５の上端側の接続ピン５ａを嵌合させながら、上枠材２を設置する。また、上枠材２の両端部を支柱１にビス留めして固定する。
【００３７】
次に、上枠材２の上に笠木ベース７、笠木８を固設する。このようにして本実施形態の壁構造体Ａを構築する。
【００３８】
なお、本実施形態では、上記のように壁構造体Ａを構築する際に、接着剤を塗布してブロック材６と横材４（下枠材３、上枠材２）の間に接着層を介装させる。これにより、ブロック材６と各部材が強固に固着される。また、ブロック材６の成形・加工精度にバラつきが生じている場合であってもこの接着層で吸収されるため、好適にブロック材６が上下左右に整列して配設されることになる。
【００３９】
一方、図１、図２に示すように、本実施形態の壁構造体Ａにポスト１０ａやサイン（表札）１０ｂなどの付帯物（機能物）１０を取り付ける場合には、壁構造体Ａの付帯物１０を取り付ける所定部分の縦材として、他の部分の縦材５と異なる材質、形状の付帯物取付用縦材１１を用いる。
【００４０】
具体的に、図７から図１０に示すように、本実施形態の付帯物取付用縦材１１は、他の縦材５と同様に、略平板状の本体部１１ｂと、本体部１１ｂの両側面側の奥行方向Ｔ３略中央にそれぞれ一体に設けられた２条で凸条の係合凸部１１ｃとを備えて形成され、奥行方向Ｔ３に沿って配設されるとともに下端を下方の横材４に当接係合させて上下方向Ｔ２に沿って立設される。
【００４１】
また、付帯物取付用縦材１１は、付帯物１０を取り付ける奥行方向Ｔ３一側部側が壁面から奥行方向Ｔ３外側に延出し、この一側部に壁面に沿って突出する固定部１１ａ備え、一側部側が例えばＴ字状（あるいはＬ字状）に形成されている。
【００４２】
さらに、本実施形態の付帯物取付用縦材１１は、本体部１１ｂの上端部側にタッピングホール１１ｄが設けられ、付帯物取付用縦材１１の上方に配された横材４をタッピングホール１１ｄの位置でビス留め（ネジ留め：ビス１１ｅ）して一体に取り付けられる。
【００４３】
なお、本実施形態では、付帯物取付用縦材１１や縦材５を、タッピングホール１１ｄを用いたビス留め、接続ピン５ａの嵌合によって一体に取り付けるものとしているが、特にその固定手段を限定する必要はなく、例えばタッピングホール１１ｄを用いない単なるビス留めで固定するようにしてもよい。
【００４４】
さらに、本実施形態では、例えば、縦材５が樹脂製であるのに対し、付帯物取付用縦材１１がアルミニウム製／金属製として形成されている。すなわち、付帯物取付用縦材１１は他の縦材５よりも高強度で形成されている。
【００４５】
本実施形態では、上記のように構成した付帯物取付用縦材１１を、付帯物１０を取り付ける部分に設置しながら前述と同様にブロック材６を積み上げて壁構造体Ａを構築する。
【００４６】
そして、付帯物取付用縦材１１の壁面から突出した固定部１１ａにビス留め（ネジ留め）するなどしてベース材１２を壁面に沿って固着し、このベース材１２に固定して支持させるようにしてポスト１０ａやサイン１０ｂなどの付帯物１０を取り付ける。
【００４７】
したがって、本実施形態の壁構造体Ａにおいては、ポスト１０ａやサイン１０ｂなどの付帯物１０を取り付ける部分の縦材として、壁面から奥行方向外側に突出するとともに、壁面に沿って突出する固定部１１ａを備えた付帯物取付用縦材１１を設けるようにし、この付帯物取付用縦材１１の固定部１１ａに付帯物１０を固着することによって、容易に付帯物１０を取り付けることが可能になる。
【００４８】
また、他の部分の縦材５に替えて付帯物取付用縦材１１を設置するだけで付帯物１０の取り付けが可能になるため、付帯物取付用縦材１１を設置する位置を自在に変え、付帯物１０の取付位置を任意に且つ容易に調節、設定することができる。
【００４９】
さらに、付帯物取付用縦材１１を設けるようにしても、壁構造体Ａの背面側は他の縦材
を用いた場合とその見た目を同じにすることができる。すなわち、壁構造体Ａの付帯物を
設置する側の壁面と反対側の背面の意匠をそのまま好適な状態で維持して付帯物１０を取り付けるように構成することができる。
【００５０】
また、付帯物取付用縦材１１を横材４にビス留めして一体に設けるように構成したことで、付帯物１０の荷重に耐える強度を確実に得ることができる。
【００５１】
さらに、付帯物取付用縦材１１の固定部１１ａが先端に幅方向Ｔ１に延びる面を備えて形成されていることにより、付帯物１０を壁構造体Ａの奥行方向Ｔ３のビス留めなどで容易に固定することが可能になる。
【００５２】
以上、本発明に係る壁構造体の一実施形態について説明したが、本発明は上記の一実施形態に限定されるものではなく、その趣旨を逸脱しない範囲で適宜変更可能である。
【００５３】
例えば、本実施形態では、壁面から奥行方向外側に突出するとともに、壁面に沿って突出する固定部１１ａを備えた付帯物取付用縦材１１を設けるようにし、この付帯物取付用縦材１１の固定部１１ａに固定して付帯物１０を取り付けるものとして説明を行った。これに対し、付帯物１０を取り付ける部分の横材４を、奥行方向一側部に壁面に沿って突出する固定部を備えた付帯物取付用横材に替え、この付帯物取付用横材の固定部に固定して付帯物１０を取り付けるように構成してもよい。そして、この場合においても、本実施形態と同様の作用効果を得ることが可能である。
【符号の説明】
【００５４】
１      支柱
１ａ    本体部
１ｂ    係合凸部
２      上枠材
２ａ    係合凸部
３      下枠材
３ａ    係合凸部
３ｂ    接続孔
４      横材
４ａ    係合凸部
４ｂ    接続孔
５      縦材
５ａ    接続ピン
５ｂ    縦材本体部
５ｃ    係合凸部
６      ブロック材
６ａ    係合凹部
７      笠木ベース
８      笠木
１０    付帯物
１０ａ  ポスト
１０ｂ  サイン
１１    付帯物取付用縦材
１１ａ  固定部
１１ｂ  本体部
１１ｃ  係合凸部
１１ｄ  タッピングホール
１１ｅ  ビス
１２    ベース材
Ａ      壁構造体
Ｔ１    幅方向（横方向）
Ｔ２    上下方向
Ｔ３    奥行方向（横方向）
【図１】
0006553504.tif 000002
【図２】
0006553504.tif 000003
【図３】
0006553504.tif 000004
【図４】
0006553504.tif 000005
【図５】
0006553504.tif 000006
【図６】
0006553504.tif 000007
【図７】
0006553504.tif 000008
【図８】
0006553504.tif 000009
【図９】
0006553504.tif 000010
【図１０】
0006553504.tif 000011